(57)【要約】【課題】一つのセンサー装置によっていかなる方向の体動の変化にも対応して正確に体動数をカウントすることのできるようになした体動計に用いて好適な体動センサーを提供する。【解決手段】導電性材料によってほゞＬ字状をなすように折曲形成した弾性体１の一端部を基板３に対する固定部２とする。当該固定部２を除いた弾性体１の全てを基板３上においてフリーな状態となす。当該フリーなＬ字状弾性体１の先端部に重錘４を設け、且つ重錘４の設けられていない弾性体１の自由辺部６に圧電素子５を付設して単一のセンサー装置によって多軸の検出を可能にした。【選択図】　図１
0003098115.tif 000002
【実用新案登録請求の範囲】
【請求項１】
体動を検出してその数を積算表示することのできる体動計に用いられる体動センサーにおいて、導電性材料によってほゞＬ字状をなすように折曲形成した弾性体の一端部を基板に対する固定部にすると共に、当該固定部を除いた弾性体の全てを基板上においてフリーな状態となし、当該フリーなＬ字状弾性体の先端付近に重錘を設け、且つ重錘の設けられていない弾性体の自由辺部に圧電素子を付設し、当該一つのセンサー装置によって多軸の検出を可能にしたことを特徴とする体動センサー。
【考案の詳細な説明】
【０００１】
【考案の属する技術分野】
本考案は歩行やランニング等の体動を検出する体動センサーに関する。
【０００２】
【従来の技術】
歩数計等の体動計に用いられる体動検知手段として、従来は振り子式のアームの先端に金属接点を設け、アームの振動に対応して金属導体接触により電気的に歩行数をカウントするものや、歩行に伴い揺動するアームに永久磁石を取付けると共に復帰用ばねを接続して、永久磁石でリードスイッチや磁気センサーを作動させて歩数をカウントするものが知られている。
【０００３】
しかしながら、これら従来装置によった場合、単軸方向の体動しか検出することができず、使用者に対する携帯場所ないし携帯位置の特定が不可欠であり、定められた使用条件に従わなかった場合には正確な体動を検出することができないという問題点があった。
【０００４】
そこで、携帯性に自由度をもたせると共に、体動を多軸的に検出することができるようにするため、一つの体動計内のＸＹ方向に二つの体動センサーを配置するようにしたセンサー装置が開発され実際に市販に供されている。
【０００５】
【考案が解決しようとする課題】
前記したように、一つの体動計内に複数のセンサー装置を配置して、多軸の検出を可能にした歩数計は知られているが、この従来装置によった場合は２個あるいはそれ以上の複数個の体動センサーを計器内に配置しなければならないと共に、各体動センサーに対応した数の増幅回路等が必要となって、コストアップの要因になり、且つ電源としての電池寿命がその分短くなるという問題点がある。
【０００６】
そこで、本考案は前記した従来技術の不具合点を解消し、一つのセンサー装置によっていかなる方向の体動の変化にも対応して正確に体動数をカウントすることのできるようになした体動計に用いて好適な体動センサーを提供することを目的とするものである。
【０００７】
【課題を解決するための手段】
前記目的を達成するための本考案の構成を詳述すれば、請求項１に係る考案は体動を検出してその数を積算表示することのできる体動計に用いられる体動センサーにおいて、導電性材料によってほゞＬ字状をなすように折曲形成した弾性体の一端部を基板に対する固定部にすると共に、当該固定部を除いた弾性体の全てを基板上においてフリーな状態となし、当該フリーなＬ字状弾性体の先端付近に重錘を設け、且つ重錘の設けられていない弾性体の自由辺部に圧電素子を付設し、当該一つのセンサー装置によって多軸の検出を可能にしたことを特徴とする体動センサーである。
【０００８】
【考案の実施の形態】
以下、本考案に係る体動センサーの具体的構成を図示の実施形態に基づき詳細に説明する。
図１は基板に取付けた本考案体動センサーの一実施形態を示す説明図、図２は図１に示す体動センサーの平面図、図３は本考案体動センサーを用いた体動計の回路構成を示すブロック図、図４は装置本体がどのような方向になっても体動を検出することができる本考案体動センサーの説明図、図５は体動センサーにおける重錘の他の実施形態を示す平面図である。
【０００９】
本実施形態において示す体動センサーは、携帯する者の体動によって生じる加速度に対応して信号を出力する加速度センサーである。図中１はセンサー本体をなす弾性体を示し、当該弾性体１はリン青銅のような導電性材料によってほゞＬ字状をなすように折曲形成されている。２は当該Ｌ字状弾性体１をプリント基板３の所定箇所に半田付け等の手段によって固定する固定部であり、この固定部２は図１に示すように、弾性体１の一端部に設けられている。
【００１０】
センサー本体をなす弾性体１は前記したように、Ｌ字状の一端部においてのみ基板３に固定されており、当該固定部２以外の弾性体１の全ては基板３上においてフリーな状態となっている。４は当該フリーなＬ字状弾性体１の先端部に取付けた重錘であり、５は当該重錘４の取付けられていない弾性体の自由辺部６に薄く層状をなすように付設した圧電素子である。また、１０は当該圧電素子５と基板３の回路とを接続するリード線を示す。
【００１１】
なお、図１及び図２に示す重錘４は、弾性体１の先端部に止めピンあるいは溶接等の手段で取付けるようにしたものであるが、重錘４は体動によって生じる加速度に応じて揺動するものであればこれに限られることはなく、たとえば図５に示すようにＬ字状弾性体１の先端辺を幅広状に形成し、且つ当該幅広状部をほゞ直角状に折曲げて重錘４とすることもできる。その際、折曲部は片側だけでなく、両側を均等に折曲げるようにしてもよいのは勿論である。
【００１２】
携帯する者の体動に起因して重錘４に加速度が作用すると、重錘４の揺動に伴って弾性体１の自由辺部６に付設してある圧電素子５に僅かな変形が生起する。この圧電素子５の変形により、リン青銅等の導電性材料によって作製された弾性体１と圧電素子５の間に僅かながら電圧が発生する。発生した出力電圧は、図３の増幅回路７によって増幅され、演算・制御機能等を有する中央処理装置（ＣＰＵ）８に入力される。
【００１３】
ＣＰＵ８は入力された体動信号より使用者が行った動作を検出してＬＣＤ等の表示器９に指定された状態を表示する。なお、特に図示しないが体動センサー装置を内蔵した体動計のような計器の表面にはＬＣＤ等からなる表示画面の他、スタート／ストップスイッチ、設定スイッチ、表示切換スイッチ、リセットスイッチ等の各種操作スイッチ群が設けられている。
【００１４】
本考案体動センサーは上記のように、導電性材料によってほゞＬ字状をなすように折曲形成した弾性体１の一端部を基板に対する固定部２にすると共に、当該固定部２を除いた弾性体１の全てを基板３上においてフリーな状態となし、当該フリーなＬ字状弾性体１の先端部に重錘４を設け、且つ重錘４の設けられていない弾性体１の自由辺部６に圧電素子５を付設してなるものであるから、センサー装置を組み込んだ体動計がどのような方向になっても、図４に示すように体動（加速度）センサー１の重錘４は体動（加速度）に反応して圧電素子５を変形させることができる。従って、単一のセンサー装置であっても多軸の検出が可能になるのである。
【００１５】
【考案の効果】
本考案体動センサーによった場合は、一つのセンサー装置で複数軸の体動（加速度）を検出することができ、多軸検出のため２個あるいはそれ以上の複数個の体動センサーを計器内に配置しなければならなかった従来装置に較べ安価に製作することが可能になる。
【００１６】
また、複数軸の体動（加速度）が検出できるため、携帯ないし装着方向が自由となり、ポケットやバッグ内での使用が可能になると共に、従来装置のようなベルトに挟着するためのクリップ等が不要となるため小型化、薄型化が可能となる。さらに、従来のように体動センサーの数に対応した複数の増幅回路等を設ける必要がないので、電源としての電池寿命を延ばすことができる。
【図面の簡単な説明】
【図１】基板に取付けた本考案体動センサーの一実施形態を示す説明図である。
【図２】図１に示す体動センサーの平面図である。
【図３】本考案体動センサーを用いた体動計の回路構成を示すブロック図である。
【図４】装置本体がどのような方向になっても体動（加速度）を検出することができる本考案体動センサーの説明図である。
【図５】体動センサーにおける重錘の他の実施形態を示す平面図である。
【符号の説明】
１：弾性体（センサー装置）　　　　２：固定部
３：基板　　　　　　　　　　　　　４：重錘
５：圧電素子　　　　　　　　　　　６：自由辺部
７：増幅回路　　　　　　　　　　　８：中央処理装置（ＣＰＵ）
９：表示器　　　　　　　　　　　１０：リード線
【図１】
0003098115.tif 000003
【図２】
0003098115.tif 000004
【図３】
0003098115.tif 000005
【図４】
0003098115.tif 000006
【図５】
0003098115.tif 000007